(57)【要約】【課題】履きやすく履き心地がよく、ブーツ等の着脱時およびブーツ等を履いた歩行時において脱げたり位置ずれすることが少ない足装着具を提供する。【解決手段】この足装着具１００は、爪先を含む足甲と、足底と、踵を含む足首とを被覆し、爪先から足甲を被覆し第１の伸縮性編地で形成された爪先部１１０と、爪先部１１０に連続しさらに足甲を被覆し第２の伸縮性編地で形成された足甲部１２０と、足の側部を被覆し第３の伸縮性編地で形成された足側部１３０（足左側部１３０Ｌ、足右側部１３０Ｒ）と、足の底部を被覆し第４の伸縮性編地で形成された足底部１４０とを備える。この足装着具１００は、第１の伸縮性編地〜第４の伸縮性編地の中の２以上の伸縮性編地が互いに接する部分で接合されて立体的な形状に形成されている。【選択図】図１
2019099951.tif 000002
【特許請求の範囲】
【請求項１】
爪先を含む足甲と、足底と、踵を含む足首とを被覆する足装着具であって、
爪先から足甲を被覆し、第１の伸縮性編地で形成された爪先部と、
前記爪先部に連続しさらに足甲を被覆し、第２の伸縮性編地で形成された足甲部と、
足の側部を被覆し、第３の伸縮性編地で形成された足側部と、
足の底部を被覆し、第４の伸縮性編地で形成された足底部とを備え、
前記足底部に対して上下反対側に足を出し入れするための開口部を設け、
前記足装着具は、前記第１の伸縮性編地〜前記第４の伸縮性編地の中の２以上の伸縮性編地が互いに接する部分で接合されるとともに前記開口部が前記第２の伸縮性編地および前記第３の伸縮性編地により形成されることにより立体的な形状に形成されていることを特徴とする足装着具。
【請求項２】
前記第３の伸縮性編地は、左側の足側部を被覆する左側伸縮性編地と右側の足側部を被覆する右側伸縮性編地との２の伸縮性編地により形成され、
前記左側伸縮性編地と前記右側伸縮性編地とが踵近傍で接合されていることを特徴とする、請求項１に記載の足装着具。
【請求項３】
前記第１の伸縮性編地と前記第２の伸縮性編地とは、１の伸縮性編地により形成されていることを特徴とする、請求項１または請求項２に記載の足装着具。
【請求項４】
前記伸縮性編地どうしを重なり合わせることなく前記伸縮性編地の周縁を突き合わせて、前記突き合わせた部分を跨いだ接着テープにより接合することにより縫い目を備えないで接合されている接合部を含むことを特徴とする、請求項１〜請求項３のいずれかに記載の足装着具。
【発明の詳細な説明】
【技術分野】
【０００１】
本発明は、着用すると少なくとも踝までの足を覆うブーツ等（このブーツ等とは踝までの足を覆う履き物および踝以上の脚を覆う履き物であって少なくとも踝までの足を覆う履き物一般を意味する）の内側に隠れて見えなくなる足装着具に関し、特に、履きやすく履き心地がよく、ブーツ等の着脱時およびブーツ等を履いた歩行時において脱げたり位置ずれすることが少ない足装着具に関する。
【背景技術】
【０００２】
人がその足に着用する衣類としての装着具は、最も一般的なものとして靴下がある。靴下は、通常、足指、甲、踵を主とする足を被覆する本体部と、足首あるいは足首から上方の脚の一部を被覆する筒状部とを有する構成となっており、このような靴下は、ベビー用から成人用まで年代・性別を問わず生産されている。
ところで、この靴下は、通常、歩行によって生じるずれを抑え、かつ、フィット感を高めるために伸縮性を有する生地で構成されている。そして、本体部と筒状部とからなる一般的な靴下にあっては、筒状部の開口周縁に編み込まれた口ゴムの締め付けにより、さらに全体的なずれが抑えられるようになっている。
【０００３】
そして、このような靴下は、限定されるものではないが、ヨコ編機を用いて無縫製で編成することが広く行なわれている。この靴下の編成方法は、靴下の履き口部分から筒状に編成を開始し、着用者の足首近傍に相当する靴下の甲側編地部では一旦編成を休止して、着用者の踵近傍に相当する靴下の踵側編地部では編成コース数を増して、編成する。このように編成することにより、着用者の足首に相当する部分で甲側にくびれ、踵に相当する部分で膨らんだ、着用者の足の形状に沿った靴下を製造することができる。このような編成方法において、着用者の足の形状に沿った踵付き靴下で、かつ、踵付き靴下の長さ方向に十分な伸縮性を有する踵付き靴下が特開２０１２−２３３２８０号公報（特許文献１）に開示されている。
【先行技術文献】
【特許文献】
【０００４】
【特許文献１】特開２０１２−２３３２８０号公報
【発明の概要】
【発明が解決しようとする課題】
【０００５】
しかしながら、特許文献１に開示された靴下を含めてこのような踵付き靴下は編機を用いて無縫製で編成されることが多いのであるが、十分な伸縮性を有するとともに、履きやすく履き心地がよく、歩行等の動作によっても脱げたり位置ずれすることが少ないという作用効果を十分に発揮できない場合があった。すなわち、従来のような編機を用いて無縫製で編成された靴下では、脱げてしまったり、履き位置がずれてしまったり、履きにくかったり、履き心地が悪かったりする問題を好適に解決できていない可能性に加えて、１枚の編地により編成されているために、立体性またはデザイン性に欠ける可能性、および、靴の脱ぎ履き時に靴下が脱げてしまったり履き位置がずれてしまったりする可能性、を完全に排除するには至らない場合が想定される。
【０００６】
特に、冬季に婦人に好適に着用されるブーツ等（着用すると少なくとも踝までの足を覆う履き物一般）の着脱時および歩行時において、このような靴下では脱げたり位置ずれすることを完全には排除するには至らない場合が想定される。
本発明は、従来技術の上述の問題点に鑑みて開発されたものであり、その目的とするところは、ブーツ等の内側に隠れて見えなくなる足装着具に関し、特に、履きやすく履き心地がよく、ブーツ等の着脱時およびブーツ等を履いた歩行時において脱げたり位置ずれすることが少ない足装着具を提供することである。
【課題を解決するための手段】
【０００７】
上記目的を達成するため、本発明に係る足装着具は以下の技術的手段を講じている。
すなわち、本発明に係る足装着具は、爪先を含む足甲と、足底と、踵を含む足首とを被
覆する足装着具であって、爪先から足甲を被覆し、第１の伸縮性編地で形成された爪先部と、前記爪先部に連続しさらに足甲を被覆し、第２の伸縮性編地で形成された足甲部と、足の側部を被覆し、第３の伸縮性編地で形成された足側部と、足の底部を被覆し、第４の伸縮性編地で形成された足底部とを備え、前記足底部に対して上下反対側に足を出し入れするための開口部を設け、前記足装着具は、前記第１の伸縮性編地〜前記第４の伸縮性編地の中の２以上の伸縮性編地が互いに接する部分で接合されるとともに前記開口部が前記第２の伸縮性編地および前記第３の伸縮性編地により形成されることにより立体的な形状に形成されていることを特徴とする。
【０００８】
好ましくは、前記第３の伸縮性編地は、左側の足側部を被覆する左側伸縮性編地と右側の足側部を被覆する右側伸縮性編地との２の伸縮性編地により形成され、前記左側伸縮性編地と前記右側伸縮性編地とが踵近傍で接合されているように構成することができる。
さらに好ましくは、前記第１の伸縮性編地と前記第２の伸縮性編地とは、１の伸縮性編地により形成されているように構成することができる。
【０００９】
さらに好ましくは、前記伸縮性編地どうしを重なり合わせることなく前記伸縮性編地の周縁を突き合わせて、前記突き合わせた部分を跨いだ接着テープにより接合することにより縫い目を備えないで接合されている接合部を含むように構成することができる。
【発明の効果】
【００１０】
本発明に係る足装着具によれば、ブーツ等の内側に隠れて見えなくなるとともに、履きやすく履き心地がよく、ブーツ等の着脱時およびブーツ等を履いた歩行時において脱げたり位置ずれすることが少ない足装着具を提供することができる。
【図面の簡単な説明】
【００１１】
【図１】本発明の第１の実施の形態に係る足装着具の全体斜視図である。
【図２】図１の足装着具を裏返した全体斜視図である。
【図３】図１に示す足装着具の側面図である。
【図４】図１に示す足装着具の正面図である。
【図５】本発明の第２の実施の形態に係る足装着具の全体斜視図である。
【図６】図５の足装着具を裏返した全体斜視図である。
【発明を実施するための形態】
【００１２】
以下、本発明の実施の形態に係る足装着具１００および足装着具２００を、図面に基づき詳しく説明する。図１は、本発明の第１の実施の形態に係る足装着具１００を足Ｆに着用した着用状態を示す全体斜視図であって、図２は、図１に示す足装着具１００を裏返した全体斜視図である。この図１に示す着用状態について、その側面図が図３であって、その正面図が図４である。さらに、図５は、本発明の第２の実施の形態に係る足装着具２００を足Ｆに着用した着用状態を示す全体斜視図であって、図６は、図５に示す足装着具２００を裏返した全体斜視図である。ここで、これらの図１〜図６は、着用者の足Ｆ（より詳しくは右足）にこれらの足装着具１００または足装着具２００を着用している状態を想定している。すなわち、本実施の形態に係る足装着具１００および足装着具２００は、タイツ、パンティストッキング等に用いられる薄手の伸縮性編地で形成されているために（タイツもパンティストッキングも伸縮性編地で形成されておりタイツにはパンティストッキングよりも厚手の伸縮性編地が採用）、このように想定して図示しない場合には縮んだ状態となり、形状を理解することが困難なため、上述のように想定している。
【００１３】
また、限定されるものではないが、以下に示す足装着具１００および足装着具２００は左右共用であって、左右共用であるために左右を履き間違いすることがない点で好ましい。なお、足装着具が左右共用でない場合には、左足用と右足用とは左右対称の形状を備える。これらの足装着具１００および足装着具２００を足Ｆに着用してブーツ等の靴を履くと、靴の内側に隠れて靴から足装着具１００および足装着具２００が露出しないので足装着具１００および足装着具２００が見えなくなる。ここで、着用時に靴から露出することのないとは、足装着具１００および足装着具２００が靴に隠れて、見えなくなることも、見えにくくなることも含む。
【００１４】
ここで、足装着具１００と足装着具２００とは、いずれも複数の伸縮性編地を接合して
立体的な形状を形成されていることは同じであるが、これらの差異は、詳しくは後述するように、伸縮性編地どうしを接合する態様が異なる。足装着具１００が、伸縮性編地が重なり合わせることなく伸縮性編地の周縁を突き合わせて、突き合わせた部分を跨いだ接着テープにより接着して接合することにより縫い目を備えないで接合されている接合部を含むことに対して、足装着具２００はこのような接着による接合部を含まないで伸縮性編地どうしを縫製により縫着することにより接合している。なお、足装着具１００および足装着具２００で共通する部分を説明する場合には、足装着具１００で代表させて説明する場合がある。なお、足装着具１００および足装着具２００で共通する部分については、全ての図面において同じ符号を付している。
【００１５】
以下において、これらの図に基づいて、これらの足装着具１００および足装着具２００について詳しく説明する。ここで、爪先を含む足甲と、足底と、踵を含む足首とを被覆する足装着具の構造には様々なものがあり、本発明は特定の構造に限定されるものではなく、後述する特徴を備えたものであれば、どのような足装着具の構造であっても、足装着具を構成する生地の種類、生地の型紙およびその生地（編地）の接合方法がどのようなものであっても基本的には構わない。なお、この足装着具１００においては、生地として編地を採用している。このように、以下に示すこれらの足装着具１００および足装着具２００の構造自体は単なる例示でしかない。
【００１６】
また、これらの足装着具１００および足装着具２００を形成する生地は、ベア天（ベア天竺：ポリウレタン糸を軸にして他の素材の糸（綿、ウール等）を巻きつけた糸（カバード・ヤーン等）を用いて編んだ平編みの生地）、トリコット（経編み機の一種であるトリコット機で編んだ経編みの生地）、パンティストッキング用の生地（ポリウレタン糸とナイロン糸とを含む編地）、タイツ用の生地（一般的にはストレッチサテン地、ナイロン地など伸縮性を備えたパンティストッキング用の生地よりも厚手の生地）等が好ましく用いられる。特に、これらの中でもベア天は、（１）伸縮性にすぐれている点、（２）形状安定性がよく洗濯後の形状変化が少ない点、（３）風合いが柔らかくフィット感にすぐれている点、（４）シワや折り目がつきにくい点、（５）多孔性の構造なので通気性がある点、（６）綿を含む場合には肌触りおよび吸湿性がよい点、でこれらの足装着具１００および足装着具２００に好ましい。さらに、これらの足装着具１００および足装着具２００は、ブーツ等の内側に隠れて見えなくなるとともに、履きやすく履き心地がよく、ブーツ等の着脱時およびブーツ等を履いた歩行時において脱げたり位置ずれすることが少ないために、主として冬季に好ましく婦人に着用されることを考慮すると、これらの足装着具１００および足装着具２００には保温性に優れたタイツ等の生地が好ましく、さらに肌当接面が起毛されていることも特に好ましい。
【００１７】
ここで、ブーツとは、靴（履物）の一種で、踝までの足やそれ以上の脚を覆うものであって、丈の長さに応じて複数の種類のものがある。たとえば、踝を覆うか覆わないか程度の丈のものであってローカットのワラビーブーツなどが含まれるデミブーツ、踝が隠れる丈のものであってチャッカブーツやデザートブーツなどが含まれるアンクルブーツ（ブーティ）、踝より上の足首が若干隠れる丈のものであってジョージブーツやジョッパーブーツなどが含まれるショートブーツ、下腿部の半分程度を隠せる丈のものであってカウボーイブーツなどが含まれるハーフブーツ、膝下あたりまで隠せる丈のものであってライディングブーツなどが含まれるロングブーツ、膝上〜股下まで隠せるものであってオーバーニーブーツ、サイハイブーツ（タイハイブーツ）、クロッチブーツ、ニーハイブーツなどが含まれるスーパーロングブーツ等である。本実施の形態に係る足装着具１００および足装着具２００は、いずれの丈のブーツを履く場合であっても好適に着用されるが、丈が短めのアンクルブーツ、ショートブーツまたはハーフブーツに特に好ましい。
【００１８】
本実施の形態に係る足装着具１００および足装着具２００は、基本的には素肌に着用され、爪先を含む足甲と、足底と、踵を含む足首とを被覆する。これらの足装着具１００および足装着具２００は、爪先から足甲を被覆し第１の伸縮性編地で形成された爪先部１１０と、爪先部１１０に連続しさらに足甲を被覆し第２の伸縮性編地で形成された足甲部１２０と、足の側部を被覆し第３の伸縮性編地で形成された足側部１３０（詳しくは第３の
伸縮性編地が左右２枚で形成されており足の左側の側部を被覆する足左側部１３０Ｌおよび足の右側の側部を被覆する足右側部１３０Ｒ）と、足の底部を被覆し第４の伸縮性編地で形成された足底部１４０とを備える。そして、足底部１４０に対して上下反対側に足を出し入れするための開口部１６０を設けてある。さらに、これらの足装着具１００および足装着具２００は、第１の伸縮性編地〜第４の伸縮性編地の中の２以上の伸縮性編地が互いに接する部分で接合されるとともに開口部１６０が第２の伸縮性編地および第３の伸縮性編地により形成されている。このように複数の編地（ここでは５枚の編地）が接合されたこれらの足装着具１００および足装着具２００は、立体的な形状に形成されていることを特徴とする。
【００１９】
ここで、第３の伸縮性編地が左右２枚で形成されている場合には、第３の伸縮性編地は、左側の足側部を被覆する左側伸縮性編地（足左側部１３０Ｌ）と右側の足側部を被覆する右側伸縮性編地（足右側部１３０Ｒ）との２の伸縮性編地により形成され、左側伸縮性編地（足左側部１３０Ｌ）と右側伸縮性編地（足右側部１３０Ｒ）とが踵近傍で接合されている。
【００２０】
さらに、これらの足装着具１００および足装着具２００は、立体的な形状に形成されている限りにおいて、第１の伸縮性編地と第２の伸縮性編地とは、１の伸縮性編地により形成されていても構わない。
これらの足装着具１００と足装着具２００との差異については上述したように、足装着具２００については図５および図６に示すように、第１の伸縮性編地〜第４の伸縮性編地の中の２以上の伸縮性編地が互いに接する部分で縫製により接合（縫着により接合）されている。より詳しくは、第１の伸縮性編地と第２の伸縮性編地とは縫着線２５０により、第２の伸縮性編地と第３の伸縮性編地とは縫着線２５２により、第３の伸縮性編地が左右２枚で形成されている場合には左側伸縮性編地（足左側部１３０Ｌ）と右側伸縮性編地（足右側部１３０Ｒ）とは縫着線１５４により、第１の伸縮性編地および第３の伸縮性編地と第４の伸縮性編地とは足底部１４０の周囲を縫着線１５６により、それぞれ縫着により接合されている。
【００２１】
なお、足装着具１００においても足装着具２００においても、複数の伸縮性編地（ここでは第１の伸縮性編地および第３の伸縮性編地と第４の伸縮性編地の５枚または（第３の伸縮性編地が左右分割されない場合には）４枚）を切り出す際には、レーザー裁断機を用いることも好ましい。ここで、複数の伸縮性編地は、いずれも所定の周縁形状を備えた平面状編地である。
【００２２】
足装着具１００については、これらの縫着線の中の第１の伸縮性編地と第２の伸縮性編地とを縫着する縫着線２５０、および、第２の伸縮性編地と第３の伸縮性編地とを縫着する縫着線２５２が、伸縮性編地どうしを重なり合わせることなく伸縮性編地の周縁を突き合わせて、突き合わせた部分を跨いだ接着テープにより接着することにより縫い目を備えないで接合されている。
【００２３】
より詳しくは、図１〜図４に示すように、第１の伸縮性編地と第２の伸縮性編地とは接着テープ１５０、第２の伸縮性編地と第３の伸縮性編地とは接着テープ１５２により、伸縮性編地どうしを重なり合わせることなく伸縮性編地の周縁を突き合わせて、突き合わせた部分を跨いで接着することにより接合されている。
さらに詳しくは、第１の伸縮性編地と第２の伸縮性編地とは、第１の伸縮性編地の周縁の少なくとも一部（ここでは図２に示す接着周縁線１５０Ａ）と第２の伸縮性編地の周縁の少なくとも一部（ここでは図２に示す接着周縁線１５０Ｂ）とを周縁どうしを重なり合わせることなく突き合わせて、突き合わせた部分を跨いだ接着テープ１５０により第１の伸縮性編地と第２の伸縮性編地とが接合されている。第２の伸縮性編地と第３の伸縮性編地とは、第２の伸縮性編地の周縁の少なくとも一部（ここでは図２に示す接着周縁線１５２Ａ）と第３の伸縮性編地の周縁の少なくとも一部（ここでは図２に示す接着周縁線１５２Ｂ）とを周縁どうしを重なり合わせることなく突き合わせて、突き合わせた部分を跨いだ接着テープ１５２により第２の伸縮性編地と第３の伸縮性編地とが接合されている。なお、接着テープ１５２の開口部１６０側の端部については、開口部１６０に設けられる（
後述する）伸縮性細幅生地１６２の下端まで（接着テープ１５２の端部が一致するように）折り返されている。
【００２４】
このように、この足装着具１００においては、接着テープにより接合することにより、縫い目を備えないで立体的な形状に形成されている。このため、この足装着具１００において、接合方法として接着テープを採用した部分については、周縁どうしを突き合わせているので段差がなく、縫い目を備えないで、立体的な形状に形成されている（立体的な形状に形成されている点は足装着具２００も同じ）。
【００２５】
このように、この足装着具１００においては、第１の伸縮性編地と第２の伸縮性編地とを肌当接面とは反対面（外側：靴側）に設けた接着テープ１５０により接合するとともに、第２の伸縮性編地と第３の伸縮性編地とを肌当接面とは反対面（外側：靴側）に設けた接着テープ１５２により接合しているが、本発明はこれに限定されるものではなく、縫製により接合した他の接合部分も接着テープにより接合しても構わない。
【００２６】
さらに、この足装着具１００において、その全ての接合部に接着テープを採用するようにしても構わない。このように、この足装着具１００において、その全ての接合部に接合方法として接着テープを採用した場合には、全ての接合部において伸縮性編地周縁どうしを突き合わせて接着テープにより接合しているので、接合部に全く段差がなく、縫い目を全く備えないで、立体的な形状に形成されている点で好ましい。
【００２７】
さらに、接着テープによる接合方法については、その周縁どうしを突き合わせて伸縮性編地どうしを接合するものであれば限定されるものではなく、肌当接面とは反対面（外側：靴側）ではなく肌当接面（内側：肌側）を接着テープにより接合しても構わないし、肌当接面とその反対面との両面をそれぞれ接着テープにより接合しても構わない。ここで、伸縮性編地の周縁を突き合わせて肌当接面（内側：肌側）のみを接着テープにより接合すると、足装着具１００の外側（靴側）には、接着テープが現れず、かつ、伸縮性編地の周縁どうしを突き合わせた接合線のみが現れるので、デザイン的に好ましい。このように、編地の接合については限定されるものではないが、接着テープを採用する場合には、帯状部材の一面に接着剤が塗布された接着テープであって、加熱することにより接着剤が溶融して編地を熱接着して接合するものが好ましい。なお、この場合の接合には、熱圧着によるもの、熱溶着によるもの、熱融着によるもの等を含む。なお、一般的に、このような接着テープは、これらの足装着具１００および足装着具２００を形成する伸縮性編地よりも伸縮性が小さく伸びにくく、接着テープに替えて縫製により接合した場合の縫着線はこれらの足装着具１００および足装着具２００を形成する伸縮性編地よりも伸縮性が小さく伸びにくい。
【００２８】
このように、接合方法が接着テープによる接着であっても縫製による縫着であっても、この接合部（接着部、縫着部）の伸縮性は、足装着具１００および足装着具２００を形成する伸縮性編地よりも小さく伸びにくい。そして、この接合部（接着部、縫着部）の位置は、図３に示す足装着具１００および足装着具２００の側面視で、足甲を取り巻くように、または、足裏から足甲へ向けて斜めに上がるように、配置されている。すなわち、第１の伸縮性編地と第２の伸縮性編地との接合部（接着テープ１５０、縫着線２５０）が図３の黒塗り矢示で示すように足甲を取り巻くように、第２の伸縮性編地と第３の伸縮性編地との接合部（接着テープ１５２、縫着線２５２）が図３の黒塗り矢示で示すように足裏から足甲へ向けて斜めに上がるように、設けられている。接着テープによる接着部または縫製による縫着部は、第１の伸縮性編地〜第４の伸縮性編地よりも（通常は）伸びにくいために（伸縮性編地よりも伸縮性が小さく伸びにくいために）黒塗り矢示で示すように（緊締）力が作用して、着用者の足甲の部分を取り巻いて足装着具１００および足装着具２００がずれることを防止したり、黒塗り矢示で示すように着用者の足裏から足甲へ向けて斜めに引き上げて足装着具１００および足装着具２００がずれることを防止したりする。
【００２９】
このため、足装着具１００または足装着具２００を着用してブーツ等の靴を着用して歩行した場合において、靴の動きに合わせて足装着具１００または足装着具２００が脱げる方向に（斜め下方に）足装着具１００または足装着具２００が引き下げられても、その引き下げ力に抗する黒塗り矢示で示す力により足装着具１００または足装着具２００が足Ｆ
からずれることを防止することができる。
【００３０】
さらに、この黒塗り矢示で示す方向が伸びにくい方向を備えた編地を採用することも好ましい。ここで、編地（経編みでも緯編みでも）は、一般的に、経方向と緯方向とで伸縮性が異なるので、伸縮性がより低い（伸びにくい）方向をこの黒塗り矢示で示す方向として採用することが好ましい。ここで、この黒塗り矢示で示す引き上げ力は、開口部１６０の上縁の全周に亘って設けられた伸縮性細幅生地１６２の伸縮力と相俟って、足装着具１００または足装着具２００が足Ｆからずれることを防止することができる点で特に好ましい。
【００３１】
また、これらの足装着具１００および足装着具２００においては、第１の伸縮性編地と第２の伸縮性編地との接合位置が図３の一点鎖線に示すように白抜き矢示の方向にずれる場合には、第１の伸縮性編地および第３の伸縮性編地に加えて第２の伸縮性編地と、第４の伸縮性編地とが、足底部１４０の周囲を縫着線１５６により、それぞれ縫着されている（縫着線１５６に代えて複数の伸縮性編地の周縁が突き合わせて接着テープにより接着されて接合されていても構わない）。このような変形は、上述した特徴を備えたものであれば、どのような足装着具の構造であっても、足装着具を構成する生地の型紙およびその生地（編地）の接合方法がどのようなものであっても基本的には構わないと、上述したことに関係する。
【００３２】
ここで、足底部１４０に対して上下反対側に足を出し入れするために設けられた開口部１６０については、これらの足装着具１００および足装着具２００は（ブーツに好適な）深履き用であるために小さな開口面積になっていて、これらの足装着具１００および足装着具２００は爪先を含む足甲と足底と踵を含む足首とを完全に被覆する。
この開口部１６０の上縁の全周に亘って伸縮性細幅生地１６２が設けられている。これらの足装着具１００および足装着具２００においては、足装着具１００および足装着具２００の内側（足Ｆが接する側：内側：肌当接面）に伸縮性細幅生地１６２が設けられている。これらの足装着具１００および足装着具２００を履くときに伸縮性細幅生地１６２を伸張させると開口部１６０が大きく開くために履きやすく、かつ、足装着具１００および足装着具２００を履いた後は伸縮性細幅生地１６２が収縮して開口部が小さくなるために歩行時に足装着具１００および足装着具２００が脱げることがない。
【００３３】
なお、この開口部１６０の上縁の全周に亘って設ける伸縮性細幅生地１６２については、足装着具１００および足装着具２００の外側（足Ｆが接する側とは逆側：外側（靴側）：肌当接面の逆面）に伸縮性細幅生地１６２を設けるようにしても構わない。なお、この伸縮性細幅生地１６２は、開口部１６０の上縁の全周ではなく上縁の一部に設けるようにしても構わないし、連続的ではなく断続的に設けるようにしても構わない。さらに、限定されるものではないが、（たとえば本願出願人により出願され公開された特開２０１４−１３３９５２号公報に記載されたように）伸縮性細幅生地１６２を折り返して折り返した線が開口部１６０の上縁に略一致するように設けられるようにしても構わない。その結果、伸縮性細幅生地１６２の幅の略半分が足装着具１００および足装着具２００の内側（足Ｆが接する側：内側：肌当接面）に、伸縮性細幅生地１６２の幅のもう一方の略半分が足装着具１００および足装着具２００の外側（足Ｆが接する側とは逆側：外側（靴側）：肌当接面の逆面）に、跨がって伸縮性細幅生地１６２が設けられることになる。
【００３４】
さらに、これらの足装着具１００および足装着具２００の踵部の上縁における足装着具１００および足装着具２００の内側（足Ｆが接する側：内側：肌当接面）には、シリコーン樹脂等の薄い透明のシートで形成された踵部滑り止めを設けることも好ましい。これにより、足Ｆの踵との密着性を高めて足装着具１００および足装着具２００が足Ｆの踵の部分からずれることをさらに防止することができる。なお、この踵部滑り止めは、本発明に係る足装着具において必須の構成ではない。
【００３５】
限定されるものではないが、これらの足装着具１００および足装着具２００においては、着用時に着用者の足甲の部分の周囲または下方部分を巻いて、足装着具１００および足装着具２００がずれることを防止する足回りホールド部を備えることも好ましい。この足回りホールド部は、第１の伸縮性編地〜第４の伸縮性編地よりも伸縮性が小さく伸びにく
い生地を、たとえば、足甲の部分の周囲に設けることにより実現される。より具体的には、爪先部１１０および／または足甲部１２０における足甲の部分に、足回りホールド部を構成する伸縮性の小さい生地を貼付する。この場合において、足回りホールド部を構成する伸縮性の小さい生地は、爪先部１１０および／または足甲部１２０の内側（肌側）に貼付しても、爪先部１１０および／または足甲部１２０の外側（靴側）に貼付しても構わないし、爪先部１１０および／または足甲部１２０の内側（肌側）および外側（靴側）に貼付しても構わない。また、この足回りホールド部は、爪先部１１０および／または足甲部１２０の下側部分のみに設けても構わない。
【００３６】
さらに、限定されるものではないが、これらの足装着具１００および足装着具２００においては、着用時に発生する汗を吸湿する吸湿部を備えることも好ましい。この吸湿部は、第１の伸縮性編地〜第４の伸縮性編地よりも吸湿性が大きく汗を吸いやすい生地を、たとえば、足底部１４０に設けることにより実現される。より具体的には、吸湿部を構成する吸湿性の大きい生地を足底部１４０に貼付する。この場合において、足底部１４０を同じ形状を備えた吸湿部を構成する吸湿性の大きい生地を足装着具１００および足装着具２００の内側（肌側）に貼付している。なお、この吸湿部は、足底部１４０の爪先側と踵側とに分断して設けても、爪先側および踵側のいずれか一方側のみでも構わない。
【００３７】
さらに、足底部１４０において、足Ｆが接する側と反対側（靴の一例であるブーツを履いたときにブーツの内底に接する側）には、シリコーン樹脂等の薄いシートで形成された足底部滑り止めを設けることも好ましい。これにより、ブーツの内底との密着性を高めてブーツ内における足装着具１００および足装着具２００の位置がずれることを防止できる。なお、この足底部滑り止めも、本発明に係るおよび足装着具において必須の構成ではない。
【００３８】
なお、これらの足装着具１００および足装着具２００において、足装着具１００および足装着具２００を形成する、第１の伸縮性編地〜第４の伸縮性編地については、全て同じ種類の生地、少なくとも１つが異なる種類の生地、全て異なる種類の生地のいずれであっても構わない。たとえば、上述したように吸湿部を構成する吸湿性の大きい生地を足底部１４０に貼付するのではなく、足底部１４０を形成する（少なくとも）第４の伸縮性編地そのものに、吸湿性の高い編地を採用することが考えられる。
【００３９】
さらに、これらの足装着具１００および足装着具２００において、第１の伸縮性編地〜第４の伸縮性編地（の少なくとも）１つと、伸縮性細幅生地１６２とが同じ共生地で形成されていても構わない。すなわち、足装着具２００および接着テープを除いた足装着具１００は、全て同じ伸縮性編地（タイツ等の生地）で形成されていても構わない。なお、これらの足装着具１００および足装着具２００において、伸縮性細幅生地１６２は、伸縮性編地に、熱プレス装置により加熱することにより伸縮性細幅生地１６２に塗布された接着剤が溶融して伸縮性編地と熱接着して接合されている。
【００４０】
また、これらの足装着具１００および足装着具２００において、第１の伸縮性編地〜第４の伸縮性編地の全てと、伸縮性細幅生地１６２とが異なる生地で形成されていても構わない。
以上のようにして、本実施の形態に係る足装着具１００および足装着具２００によると、ブーツ等の内側に隠れて見えなくなる足装着具であって、特に、履きやすく履き心地がよく、ブーツ等の着脱時およびブーツ等を履いた歩行時において脱げたり位置ずれすることが少ない足装着具を提供することができる。さらに、この足装着具１００によると、接着テープで接合した接合部については、段差も縫い目も全く存在しないので履き心地が極めて良いものとなる。
【００４１】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４２】
本発明は、ブーツ等の内側に隠れて見えなくなる素足で履く足装着具に好適であり、履
きやすく履き心地がよく、ブーツ等の着脱時およびブーツ等を履いた歩行時において脱げたり位置ずれすることが少ない点で特に好ましい。
【符号の説明】
【００４３】
１００  （第１の実施の形態に係る）足装着具
１１０  爪先部
１２０  足甲部
１３０  足側部（足左側部１３０Ｌ、足右側部１３０Ｒ）
１４０  足底部
１５０、１５２  接着テープ
１５４、１５６  縫着線
１６０  開口部
１６２  伸縮性細幅生地
２００  （第２の実施の形態に係る）足装着具
２５０、２５２  縫着線
Ｆ      足
【図１】
2019099951.tif 000003
【図２】
2019099951.tif 000004
【図３】
2019099951.tif 000005
【図４】
2019099951.tif 000006
【図５】
2019099951.tif 000007
【図６】
2019099951.tif 000008